(57)【要約】【課題】第１の再生装置の第１のコンテンツ情報の再生タイミングと、第２の再生装置の第２のコンテンツ情報の再生タイミングと、に発生する時間的なズレを低減させる。【解決手段】第１の再生装置の第１の遅延量決定部は、第１の基本遅延量および第１の追加遅延量を取得し、第２の再生装置の第２の遅延量決定部から第２の基本遅延量および第２の追加遅延量を取得する。取得した第２の基本遅延量および第２の追加遅延量で決まる第２の再生遅延量と、第１の基本遅延量および第１の追加遅延量で決まる第１の再生遅延量と、が一致するように、新たな第１の追加遅延量および新たな第２の追加遅延量を決定する。新たな第１の追加遅延量を第１の遅延処理部に設定し、新たな第２の追加遅延量を第２の遅延処理部に設定する。【選択図】図１
2008141631.tif 000002
【特許請求の範囲】
【請求項１】
タイミングを合わせて再生すべき第１と第２のコンテンツ情報を、それぞれに対応する第１と第２の再生装置において再生するコンテンツ再生システムであって、
第１の再生装置は、
供給される第１のコンテンツ情報の再生タイミングを遅延する第１の遅延処理部と、
前記第１の遅延処理部における遅延量を決定し、前記第１の遅延処理部に設定する第１の遅延量決定部と、
を備え、
第２の再生装置は、
供給される第２のコンテンツ情報の再生タイミングを遅延する第２の遅延処理部と、
前記第２の遅延処理部における遅延量を決定し、前記第２の遅延処理部に設定する第２の遅延量決定部と、
を備え、
前記第１の再生装置に供給される前記第１のコンテンツ情報の再生を開始するまでに要する時間を示す第１の再生遅延量は、前記第１のコンテンツ情報の再生条件に応じて決まる第１の基本遅延量と、前記第１の遅延処理部に設定される第１の追加遅延量とで決定され、
前記第２の再生装置に供給される前記第２のコンテンツ情報の再生を開始するまでに要する時間を示す第２の再生遅延量は、前記第２のコンテンツ情報の再生条件に応じて決まる第２の基本遅延量と、前記第２の遅延処理部に設定される第２の追加遅延量とで決定され、
前記第１の再生遅延量および前記第２の再生遅延量を調整する場合において、
前記第１の遅延量決定部は、前記第１の基本遅延量および前記第１の追加遅延量を取得するとともに、前記第２の遅延量決定部に対して、前記第２の基本遅延量および前記第２の追加遅延量の通知を指示し、
通知指示を受けた前記第２の遅延量決定部は、前記第２の基本遅延量および前記第２の追加遅延量を、前記第１の遅延量決定部に応答し、
応答を受けた前記第１の遅延量決定部は、
前記応答に含まれていた前記第２の基本遅延量および前記第２の追加遅延量を取得し、取得した前記第２の基本遅延量および前記第２の追加遅延量で決まる前記第２の再生遅延量と、前記第１の基本遅延量および前記第１の追加遅延量で決まる前記第１の再生遅延量と、が一致するように、新たな前記第１の追加遅延量および新たな前記第２の追加遅延量を決定し、
前記新たな第１の追加遅延量を前記第１の遅延処理部に設定するとともに、前記第２の遅延量決定部に対して、前記新たな第２の追加遅延量の前記第２の遅延処理部への設定を指示し、
設定指示を受けた前記第２の遅延量決定部は、前記設定指示に含まれていた前記新たな第２の追加遅延量を前記第２の遅延処理部に設定する
ことを特徴とするコンテンツ再生システム。
【請求項２】
請求項１記載のコンテンツ再生システムであって、
前記第１の再生装置および前記第２の再生装置は、前記通知指示、前記通知指示に対する応答、および、前記設定指示を実行するために、前記第１のコンテンツ情報および前記第２のコンテンツ情報の通信部とは異なる通信部を備える
ことを特徴とするコンテンツ再生システム。
【請求項３】
請求項２記載のコンテンツ再生システムであって、
前記異なる通信部で利用されるプロトコルは、ＳＯＡＰであることを特徴とするコンテンツ再生システム。
【請求項４】
請求項１ないし請求項３のいずれかに記載のコンテンツ再生システムであって、
前記第１の再生装置は、さらに、
ユーザによる調整遅延量の入力を許容する調整遅延量入力部を備え、
ユーザが第１の再生遅延量および前記第２の再生遅延量を調整する場合において、
前記第１の遅延量決定部は、
前記調整遅延量入力部から通知された前記調整遅延量に応じて、新たな前記第１の追加遅延量および新たな前記第２の追加遅延量を決定し、
前記新たな第１の追加遅延量を前記第１の遅延処理部に設定するとともに、前記第２の遅延量決定部に対して、前記新たな第２の追加遅延量の前記第２の遅延処理部への設定を指示し、
設定指示を受けた前記第２の遅延量決定部は、前記設定指示に含まれていた前記新たな第２の追加遅延量を前記第２の遅延処理部に設定する
ことを特徴とするコンテンツ再生システム。
【請求項５】
タイミングを合わせて再生すべき第１と第２のコンテンツ情報を、それぞれに対応する第１と第２の再生装置において再生するコンテンツ再生システムに用いられる第１の再生装置であって、
供給される第１のコンテンツ情報の再生タイミングを遅延する第１の遅延処理部と、
前記第１の遅延処理部における遅延量を決定し、前記第１の遅延処理部に設定する第１の遅延量決定部と、
を備え、
前記コンテンツ再生システムで、前記第１の再生装置に供給される前記第１のコンテンツ情報の再生を開始するまでに要する時間を示す第１の再生遅延量および前記第２の再生装置に供給される前記第２のコンテンツ情報の再生を開始するまでに要する時間を示す第２の再生遅延量を調整する場合において、
前記第１の遅延量決定部は、
前記第１の基本遅延量および前記第１の追加遅延量を取得するとともに、前記第２の再生装置に対して、前記第２の再生遅延量を決定する、前記第２のコンテンツ情報の再生条件に応じて決まる第２の基本遅延量と、前記第２の基本遅延量に追加設定される第２の追加遅延量の通知を指示することにより、前記第２の基本遅延量および前記第２の追加遅延量を取得し、
取得した前記第２の基本遅延量および前記第２の追加遅延量で決まる前記第２の再生遅延量と、前記第１の基本遅延量および前記第１の追加遅延量で決まる前記第１の再生遅延量と、が一致するように、新たな前記第１の追加遅延量および新たな前記第２の追加遅延量を決定し、
前記新たな第１の追加遅延量を前記第１の遅延処理部に設定するとともに、前記第２の遅延量決定部に対して、前記新たな第２の追加遅延量の前記第２の遅延処理部への設定を指示する
ことを特徴とする第１の再生装置。
【請求項６】
タイミングを合わせて再生すべき第１と第２のコンテンツ情報を、それぞれに対応する第１と第２の再生装置において再生するコンテンツ再生システムに用いられる第２の再生装置であって、
供給される第２のコンテンツ情報の再生タイミングを遅延する第２の遅延処理部と、
前記第２の遅延処理部における遅延量を決定し、前記第２の遅延処理部に設定する第２の遅延量決定部と、
を備え、
前記コンテンツ再生システムで、前記第１の再生装置に供給される前記第１のコンテンツ情報の再生を開始するまでに要する時間を示す第１の再生遅延量および前記第２の再生装置に供給される前記第２のコンテンツ情報の再生を開始するまでに要する時間を示す第２の再生遅延量を調整する場合において、
前記第２の遅延量決定部は、
前記第１の再生装置から、前記第２の基本遅延量および前記第２の追加遅延量の通知を指示されたときに、前記第２の基本遅延量および前記第２の追加遅延量を、前記第１の再生装置に応答し、
前記第１の再生装置から、新たな第２の追加遅延量の前記第２の遅延処理部への設定を指示されたときに、設定指示に含まれていた前記新たな第２の追加遅延量を前記第２の遅延処理部に設定する
ことを特徴とする第２の再生装置。
【請求項７】
タイミングを合わせて再生すべき第１と第２のコンテンツ情報を、それぞれに対応する第１と第２の再生装置において再生するコンテンツ再生方法であって、
前記第１の再生装置に供給される前記第１のコンテンツ情報の再生を開始するまでに要する時間を示す第１の再生遅延量は、前記第１のコンテンツ情報の再生条件に応じて決まる第１の基本遅延量と、前記第１の再生装置に備えられる第１の遅延処理部に設定される第１の追加遅延量とで決定され、
前記第２の再生装置に供給される前記第２のコンテンツ情報の再生を開始するまでに要する時間を示す第２の再生遅延量は、前記第２のコンテンツ情報の再生条件に応じて決まる第２の基本遅延量と、前記第２の再生装置に備えられる第２の遅延処理部に設定される第２の追加遅延量とで決定され、
前記第１の再生遅延量および前記第２の再生遅延量を調整する場合において、
前記第１の再生装置は、前記第１の基本遅延量および前記第１の追加遅延量を取得するとともに、前記第２の再生装置に対して、前記第２の基本遅延量および前記第２の追加遅延量の通知を指示し、
通知指示を受けた前記第２の再生装置は、前記第２の基本遅延量および前記第２の遅延処理部に設定されている前記第２の追加遅延量を、前記第１の第製装置に応答し、
応答を受けた前記第１の再生装置は、
前記応答に含まれていた前記第２の基本遅延量および前記第２の追加遅延量を取得し、取得した前記第２の基本遅延量および前記第２の追加遅延量で決まる前記第２の再生遅延量と、前記第１の基本遅延量および前記第１の追加遅延量で決まる前記第１の再生遅延量と、が一致するように、新たな前記第１の追加遅延量および新たな前記第２の追加遅延量を決定し、
前記新たな第１の追加遅延量を前記第１の遅延処理部に設定するとともに、前記第２の再生装置に対して、前記新たな第２の追加遅延量の前記第２の遅延処理部への設定を指示し、
設定指示を受けた前記第２の再生装置は、前記設定指示に含まれていた前記新たな第２の追加遅延量を前記第２の遅延処理部に設定する
ことを特徴とするコンテンツ再生方法。
【発明の詳細な説明】
【技術分野】
【０００１】
本発明は、１つのコンテンツを構成する音声情報と映像情報のように、タイミングを合わせて再生すべき第１と第２のコンテンツ情報を、それぞれに対応する第１と第２の再生装置において再生する場合において、第１の再生装置における第１のコンテンツ情報の再生タイミングと、第２の再生装置における第２のコンテンツ情報の再生タイミングとに発生する時間的なズレを低減させる技術に関する。
【背景技術】
【０００２】
タイミングを合わせて再生すべき映像情報と音声情報を、別々の再生装置、例えば、映像情報は映像再生装置としてのプロジェクタ、音声情報はアンプとスピーカとで構成される音声再生装置としてのスピーカシステム、で再生する場合がある。この場合、映像情報および音声情報を供給するコンテンツ供給装置から映像再生装置に映像情報を伝送するタイミング（以下、「伝送タイミング」とも呼ぶ。）と、音声再生装置に音声情報を送出するタイミング（伝送タイミング）とのズレや、コンテンツ供給装置とそれぞれの再生装置との間の伝送経路におけるコンテンツ情報の伝送に要する時間（以下、「伝送遅延」とも呼ぶ。）のズレ、それぞれの再生装置における再生処理に要する時間（以下、「再生処理遅延」とも呼ぶ。）のズレ等によって、映像情報の再生タイミングと音声情報の再生タイミングとで、時間的なズレが発生する。なお、以下では、映像情報と音声情報の再生タイミングのズレが、再生された映像と音声のズレを視聴者が感じない程度まで小さくなっているか、あるいは、一致している場合を「同期が合っている」といい、視聴者がズレを感じるほど大きくなっている場合を「同期がずれている」ということとする。また、この時間的なズレを「同期ズレ」ともいうこととする。
【０００３】
上記同期ずれを解決するために、例えば、特許文献１や特許文献２のように、伝送経路において発生する伝送遅延のズレ（以下、「伝送遅延ズレ」とも呼ぶ。）による同期ズレに対して、音声情報の再生タイミングを遅延させる技術が提案されている。また、特許文献３や特許文献４のように、伝送遅延ズレによる同期ズレに対して、コンテンツ供給装置側で、あらかじめ伝送遅延ズレを低減するように映像情報に対して音声情報の伝送タイミングを遅延させて調整する技術も提案されている。
【０００４】
しかし、また、仮に、伝送遅延ズレを調整したとしても、そもそもコンテンツ供給装置における伝送タイミングのズレ（以下、「伝送タイミングズレ」とも呼ぶ。）によって同期ズレが発生する場合もある。また、例えば、衛星中継による外国からの放送のように、その映像情報と音声情報の伝送経路の違いに起因する同期ズレが発生する場合もある。このため、必ずしも音声情報を遅延させれば同期ズレを解決可能であるとは限らない。
【０００５】
また、伝送遅延ズレのみならず、上記したように、映像再生装置における再生遅延と、音声再生装置における再生遅延のズレ（以下、「再生遅延ズレ」とも呼ぶ。）によって同期ズレが発生する可能性が高いが、このズレを低減する標準的な規格は提案されていない。
【０００６】
さらに、また、コンテンツ供給装置側で同期ズレを調整する場合には、コンテンツ供給装置と映像再生装置との間の遅延と、コンテンツ供給装置と音声再生装置との間の遅延と、を比較し、制御する機能を追加しなければならず、かつ、そもそもずれた音声情報の再生タイミングと映像情報の再生タイミングとの同期を合わせる仕組みを有していない。
【０００７】
なお、上記説明では、タイミングを合わせて再生すべき映像情報と音声情報を例に説明したが、タイミングを合わせて再生すべき映像情報と映像情報、音声情報と音声情報等、タイミングを合わせて再生すべき第１と第２の再生情報を、それぞれ別々の第１と第２の再生装置で再生する場合においても同様である。
【０００８】
【特許文献１】特開２００４-８８４４２号公報
【特許文献２】特開２００４-１０４６５８号公報
【特許文献３】特開２００４-２８２６６７号公報
【特許文献４】特開２００４-３２０４２４号公報
【発明の開示】
【発明が解決しようとする課題】
【０００９】
本発明は、上記した問題点を解決するためになされたものであり、１つのコンテンツを構成する音声情報と映像情報のように、タイミングを合わせて再生すべき第１と第２のコンテンツ情報を、それぞれに対応する第１と第２の再生装置において再生する場合において、第１の再生装置における第１のコンテンツ情報の再生タイミングと、第２の再生装置における第２のコンテンツ情報の再生タイミングとに発生する時間的なズレを、低減させる技術を提供することを目的とする。
【課題を解決するための手段】
【００１０】
上述の課題の少なくとも一部を解決するため、本発明は、
タイミングを合わせて再生すべき第１と第２のコンテンツ情報を、それぞれに対応する第１と第２の再生装置において再生するコンテンツ再生システムであって、
第１の再生装置は、
供給される第１のコンテンツ情報の再生タイミングを遅延する第１の遅延処理部と、
前記第１の遅延処理部における遅延量を決定し、前記第１の遅延処理部に設定する第１の遅延量決定部と、
を備え、
第２の再生装置は、
供給される第２のコンテンツ情報の再生タイミングを遅延する第２の遅延処理部と、
前記第２の遅延処理部における遅延量を決定し、前記第２の遅延処理部に設定する第２の遅延量決定部と、
を備え、
前記第１の再生装置に供給される前記第１のコンテンツ情報の再生を開始するまでに要する時間を示す第１の再生遅延量は、前記第１のコンテンツ情報の再生条件に応じて決まる第１の基本遅延量と、前記第１の遅延処理部に設定される第１の追加遅延量とで決定され、
前記第２の再生装置に供給される前記第２のコンテンツ情報の再生を開始するまでに要する時間を示す第２の再生遅延量は、前記第２のコンテンツ情報の再生条件に応じて決まる第２の基本遅延量と、前記第２の遅延処理部に設定される第２の追加遅延量とで決定され、
前記第１の再生遅延量および前記第２の再生遅延量を調整する場合において、
前記第１の遅延量決定部は、前記第１の基本遅延量および前記第１の追加遅延量を取得するとともに、前記第２の遅延量決定部に対して、前記第２の基本遅延量および前記第２の追加遅延量の通知を指示し、
通知指示を受けた前記第２の遅延量決定部は、前記第２の基本遅延量および前記第２の追加遅延量を、前記第１の遅延量決定部に応答し、
応答を受けた前記第１の遅延量決定部は、
前記応答に含まれていた前記第２の基本遅延量および前記第２の追加遅延量を取得し、取得した前記第２の基本遅延量および前記第２の追加遅延量で決まる前記第２の再生遅延量と、前記第１の基本遅延量および前記第１の追加遅延量で決まる前記第１の再生遅延量と、が一致するように、新たな前記第１の追加遅延量および新たな前記第２の追加遅延量を決定し、
前記新たな第１の追加遅延量を前記第１の遅延処理部に設定するとともに、前記第２の遅延量決定部に対して、前記新たな第２の追加遅延量の前記第２の遅延処理部への設定を指示し、
設定指示を受けた前記第２の遅延量決定部は、前記設定指示に含まれていた前記新たな第２の追加遅延量を前記第２の遅延処理部に設定する
ことを特徴とする。
【００１１】
上記コンテンツ再生システムでは、第１の再生装置における第１の再生遅延量と第２の再生装置における第２の再生遅延量とが一致するように調整されるので、第１の再生装置における再生遅延と第２の再生装置における再生遅延のズレによって発生する第１のコンテンツ情報と第２のコンテンツ情報の再生における同期ズレを低減することが可能である。
【００１２】
上記コンテンツ再生システムにおいて、
前記第１の再生装置および前記第２の再生装置は、前記通知指示、前記通知指示に対する応答、および、前記設定指示を実行するために、前記第１のコンテンツ情報および前記第２のコンテンツ情報の通信部とは異なる通信部を備えることが好ましい。
【００１３】
このようにすれば、第１の再生装置と第２の再生装置との間で実行される、第２の基本遅延量および第２の追加遅延量の取得指示、その取得指示に対する応答、および、新たな第２の追加遅延量の設定指示の手段を容易に提供することができる。
【００１４】
なお、前記異なる通信部で利用されるプロトコルとしては、ＳＯＡＰを用いることができる。
【００１５】
上記コンテンツ再生システムであって、
前記第１の再生装置は、さらに、
ユーザによる調整遅延量の入力を許容する調整遅延量入力部を備え、
ユーザが第１の再生遅延量および前記第２の再生遅延量を調整する場合において、
前記第１の遅延量決定部は、
前記調整遅延量入力部から通知された前記調整遅延量に応じて、新たな前記第１の追加遅延量および新たな前記第２の追加遅延量を決定し、
前記新たな第１の追加遅延量を前記第１の遅延処理部に設定するとともに、前記第２の遅延量決定部に対して、前記新たな第２の追加遅延量の前記第２の遅延処理部への設定を指示し、
設定指示を受けた前記第２の遅延量決定部は、前記設定指示に含まれていた前記新たな第２の追加遅延量を前記第２の遅延処理部に設定する
ようにしてもよい。
【００１６】
上記コンテンツ再生システムによれば、ユーザが入力した調整遅延量に応じて、第１の追加遅延量および第２の追加遅延量を調整することができる。
【００１７】
なお、本発明は、上述したコンテンツ再生システムとしての態様のほか、コンテンツ再生方法としての態様、コンテンツ再生システムに用いられる第１の再生装置や第２の再生装置としての態様、コンピュータプログラムとしての態様、コンピュータプログラムを記録した記録媒体としての態様、コンピュータプログラムを含み搬送波内で具現化されたデータ信号としての態様など、種々の態様で実現可能である。
【００１８】
本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ／ＲＡＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００１９】
以下では、本発明の実施の形態を実施例に基づいて以下の順序で説明する。
Ａ．実施例：
Ａ１．コンテンツ再生システムの構成：
Ａ２．映像遅延量および音声遅延量の自動調製処理：
Ａ３．映像遅延量および音声遅延量のユーザによる調整処理：
Ａ４．効果：
Ｂ．変形例：
【００２０】
Ａ．実施例：
Ａ１．コンテンツ再生システムの構成：
図１は、本発明の一実施例としてのコンテンツ再生システム１０の構成を機能的に示す説明図である。このコンテンツ再生システム１０は、再生するコンテンツを構成する映像情報および音声情報のうち、映像情報を映像再生装置に供給し、音声情報を音声再生装置に供給するコンテンツ供給装置１００と、映像情報を再生する映像再生装置２００と、音声情報を再生する音声再生装置３００と、を備えている。
【００２１】
コンテンツ供給装置１００と映像再生装置２００とは、映像情報を伝送するための通信経路ＶＬ（映像情報通信経路）を介して接続されており、コンテンツ供給装置１００と音声再生装置３００とは、音声情報を伝送するための通信経路ＡＬ（音声情報通信経路）を介して接続されている。また、映像再生装置２００と音声再生装置３００とは、後述する遅延量に関する情報を伝送するための通信経路ＣＬ（遅延情報通信経路）を介して接続されている。なお、映像情報通信経路ＶＬを介して伝送される映像情報の信号形態は、アナログの映像信号の形態であってもデジタルの映像信号の形態であってもよい。また、同様に、音声情報通信経路ＡＬを介して伝送される音声情報の信号形態も、アナログの音声信号の形態であってもデジタルの音声信号の形態であってもよい。なお、遅延情報通信経路ＣＬを介して通信される遅延量に関する情報は、ＴＣＰ／ＩＰによるパケット通信により伝送される。
【００２２】
映像再生装置２００は、例えば、画像を投写するプロジェクタや直視型の液晶ディスプレイ等の種々の画像表示装置により構成されるが、本例の映像再生装置２００は、プロジェクタを例に示している。
【００２３】
また、音声再生装置３００は、ネットワーク回線に接続可能なスピーカシステムにより構成される。
【００２４】
ここで、映像再生装置２００は、コンテンツ供給装置１００から供給されるコンテンツ情報である映像ソースとしての映像情報を、映像情報受信部２１０で受信し、映像処理部２２０で高画質化処理等の種々の処理を行い、遅延処理部２３０で遅延させて映像再生部２４０に供給し、映像再生部２４０で再生して、投写部２５０から投写表示する。このとき、映像再生装置２００では、映像情報が供給されて、その再生が開始されるまでに要する時間（以下、「映像遅延量」とも呼ぶ。）が発生する。
【００２５】
遅延処理部２３０で実行される遅延処理の遅延量（以下、「追加映像遅延量」とも呼ぶ。）は、映像処理部２２０における映像処理条件に対応する基本映像遅延量の情報と、遅延量通信部２７０を介して供給される音声再生装置３００からの音声遅延量の情報や、リモートコントローラ（リモコン）２９０から調整遅延量入力部２８０を介してユーザによって入力された調整遅延量の情報に基づいて、遅延量決定部２６０によって決定され、遅延処理部２３０に設定される。なお、この追加映像遅延量の決定についてはさらに後述する。
【００２６】
また、音声再生装置３００は、コンテンツ供給装置１００から供給されるコンテンツ情報である音声ソースとしての音声情報を、音声情報受信部３１０で受信し、音声処理部３２０で高音質化処理等の種々の処理を行い、遅延処理部３３０で遅延させて音声再生部３４０に供給し、音声再生部３４０で再生して、スピーカ３５０から出力する。このとき、音声再生装置３００では、音声情報が供給されて、その再生が開始されるまでに要する時間（以下、「音声遅延量」とも呼ぶ。）が発生する。
【００２７】
遅延処理部３３０で実行される遅延処理の遅延量（以下、「追加音声遅延量」とも呼ぶ。）は、音声処理部３２０における音声処理条件に対応する基本音声遅延量の情報と、遅延量通信部３７０を介して供給される映像再生装置３００からの追加音声遅延量の情報に基づいて、遅延量決定部３６０によって決定され、遅延処理部３３０に設定される。なお、この追加音声遅延量の決定についてはさらに後述する。
【００２８】
上記コンテンツ再生システム１０は、映像再生装置２００の遅延量決定部２６０に設定される追加映像遅延量と、音声再生装置３００の遅延量決定部３６０に設定される追加音声遅延量とが、以下で説明するようにして調整設定されることにより、映像再生装置２００における映像情報の再生に要する映像遅延量と、音声再生装置３００における音声の再生に要する音声遅延量とが、調整設定されて、コンテンツ供給装置１００から映像再生装置２００に供給される映像情報と、音声再生装置３００に供給される音声情報とを、再生のタイミングを合わせて再生することができるシステムである。
【００２９】
Ａ２．映像遅延量および音声遅延量の自動調整処理：
図２は、映像再生装置２００の遅延量決定部２６０において実行される映像遅延量および音声遅延量の自動調製処理の手順を示す説明図である。また、図３は、映像遅延量および音声遅延量の調整例を示す説明図である。
【００３０】
遅延量決定部２６０は、例えば、映像処理部２２０から基本映像遅延量ｔＶＤ０の通知を受けることにより、図２に示す処理を開始する。
【００３１】
なお、映像処理部２２０では、例えば、入力される映像情報に対して実行する種々の処理条件に応じて発生する基本映像遅延量が格納されたテーブルを有しており、入力される映像情報に対して実行する処理条件の変化に応じて、このテーブルを参照することにより、対応する基本映像遅延量ｔＶＤ０を動的に求めることができる。
【００３２】
まず、映像処理部２２０から通知された基本映像遅延量ｔＶＤ０を取得するとともに、追加映像遅延量ｔＶＤｓを「０」として、遅延処理部２３０に設定する（ステップＳ２１０）。
【００３３】
次に、遅延量通信部２７０および音声再生装置３００の遅延量通信部３７０を介して、音声再生装置３００の遅延量決定部３６０に対して、音声再生装置３００における音声遅延量ｔＡＤの情報として、基本音声遅延量ｔＡＤ０、追加音声遅延量ｔＡＤｓ、および、追加可能最大音声遅延量ｔＡＤｍａｘの通知を指示し、遅延量決定部３６０から通知された情報を取得する（ステップＳ２２０）。
【００３４】
ここで、遅延量通信部２７０と音声再生装置３００の遅延量通信部３７０との間で実行される通信は、上記したように、ＴＣＰ／ＩＰによるパケット通信によるものであり、基本音声遅延量ｔＡＤ０、追加音声遅延量ｔＡＤｓ、および、追加可能最大音声遅延量ｔＡＤｍａｘの取得の指示は、例えば、ＸＭＬやＨＴＴＰを基本とするＳＯＡＰ（Ｓｉｍｐｌｅ  Ｏｂｊｅｃｔ  Ａｃｃｅｓｓ  Ｐｒｏｔｏｃｏｌ）において、新たに、「現設定遅延量の取得」を指示するメッセージコマンドを定義し、この定義したコマンドを用いることにより、実行される。
【００３５】
なお、音声再生装置３００の遅延量決定部３６０における処理については後述する。
【００３６】
そして、基本映像遅延量ｔＶＤ０と、音声遅延量ｔＡＤ（ｔＡＤ＝ｔＡＤ０＋ｔＡＤｓ）とを比較し、映像遅れであるか音声遅れであるか判定する（ステップＳ２３０）。なお、追加音声遅延量ｔＡＤｓについては、後述するように、初期状態においては「０」に設定されているので、処理開始当初においては、実質的には、ｔＶＤ０とｔＡＤ０とを比較することになる。
【００３７】
ここで、ｔＶＤ０＞ｔＡＤ（＝ｔＡＤ０＋ｔＡＤｓ）である場合（ステップＳ２３０：ＹＥＳ）、例えば、図３（Ａ）に示すような場合には、映像遅れと判定して後述するステップＳ２８０の処理を実行する。
【００３８】
ステップＳ２８０では、現設定の追加映像遅延量ｔＶＤｓを基本映像遅延量ｔＶＤ０に加算することにより求めた映像遅延量ｔＶＤから、基本音声遅延量ｔＡＤ０を減算することにより、追加音声遅延量ｔＡＤｓ（ｔＡＤｓ＝［ｔＶＤ−ｔＡＤ０］）を求める。そして、求めた追加音声遅延量ｔＡＤｓの設定を、遅延量通信部２７０および音声再生装置３００の遅延量通信部３７０を介して、音声再生装置３００の遅延量決定部３６０に対して指示し、上記一連の処理を終了する。このとき、音声再生装置３００の遅延量決定部３６０では、後述するように、通知された追加音声遅延量ｔＡＤｓを取得し、遅延処理部３３０に設定する。なお、追加音声遅延量ｔＡＤｓの通知は、上記した「現設定遅延量の通知」の指示コマンドと同様に、新たに、「追加遅延量の設定」を指示するメッセージコマンドを定義し、定義したメッセージコマンドを用いることにより、実行される。
【００３９】
この結果、図３（Ａ）に示すように、現設定の映像遅延量ｔＶＤに一致するように、音声遅延量ｔＡＤを設定することができる。
【００４０】
一方、ｔＶＤ０≦ｔＡＤである場合（ステップＳ２３０：ＮＯ）、例えば、図３（Ｂ），（Ｃ）のような場合には、音声遅れと判定して、ステップＳ２４０あるいはステップＳ２４０〜Ｓ２７０の処理を実行後に上記ステップＳ２８０の処理を実行する。
【００４１】
音声遅れと判定された場合には（ステップＳ２３０：ＮＯ）、ステップＳ４０において、まず、音声遅延量ｔＡＤと映像遅延量ｔＶＤ（ｔＶＤ＝ｔＶＤ０＋ｔＶＤ）との差、すなわち、音声遅れが１フレーム時間ｔＦｒａｍｅよりも大きいか否か判断する。
【００４２】
ここで、映像情報を表す映像信号は、１枚の映像（画像）を表す映像信号（画像信号）単位（フレームあるいはフィールドと呼ばれる単位）で扱われるため、１フレームの映像信号が映像処理部から出力されるのに要する時間（上記１フレーム時間ｔＦｒａｍｅに相当する。）単位で遅延を変化させることが望ましい。そこで、遅延処理部２３０における遅延変化は１フレーム時間ｔＦｒａｍｅ単位で変化するものとする。
【００４３】
図３（Ｂ）に示すように、上記判断（ステップＳ２４０）において、音声遅れが１フレーム時間ｔＦｒａｍｅ以下（［ｔＡＤ−ｔＶＤ］≦ｔＦｒａｍｅ）と判断される場合には（ステップＳ２４０：ＮＯ）、そのまま、ステップＳ２８０の処理を実行する。この結果、図３（Ｂ）に示すように、現設定の映像遅延量ｔＶＤに一致するように、音声遅延量ｔＡＤを設定することができる。
【００４４】
図３（Ｃ）に示すように、上記判断（ステップＳ２４０）において、音声遅れが１フレーム時間ｔＦａｒａｍｅよりも大きい（［ｔＡＤ−ｔＶＤ］＞ｔＦｒａｍｅ）と判断される場合には（ステップＳ２４０：ＹＥＳ）、映像遅延量を増加させることにより、音声遅延量の範囲を広げることができる。そこで、このような場合には、現在の追加映像遅延量ｔＶＤｓに１フレーム時間ｔＦｒａｍｅを加算することにより、新たな追加映像遅延量ｔＶＤｓ（ｔＶＤｓ＋＝ｔＦｒａｍｅ）を設定し（ステップＳ２５０）、設定した追加映像遅延量ｔＶＤｓが追加可能最大映像遅延量ｔＶＤｍａｘよりも小さい（ｔＶＤｓ＜ｔＶＤｍａｘ）か否か判断する（ステップＳ２６０）。
【００４５】
新たな追加映像遅延量ｔＶＤｓが追加可能最大映像遅延量ｔＶＤｍａｘ以下（ｔＶＤｓ≦ｔＶＤｍａｘ）の場合には（ステップＳ２６０：ＹＥＳ）、この新たな追加映像遅延量ｔＶＤｓの遅延を遅延処理部２３０で設定することが可能であるので、ステップＳ２４０に戻って再びステップＳ２４０の判断を実行する。このとき、上記したように、音声遅れが１フレーム時間ｔＦｒａｍｅ以下と判断される場合には（ステップＳ２４０：ＮＯ）、ステップＳ２８０の処理を実行することにより、図３（Ｃ）に示すように、現設定の映像遅延量ｔＶＤに一致するように、音声遅延量ｔＡＤを設定することができる。
【００４６】
また、新たな追加映像遅延量ｔＶＤｓが追加可能最大映像遅延量ｔＶＤｍａｘよりも大きい（ｔＶＤｓ＞ｔＶＤｍａｘ）場合には（ステップＳ２６０：ＮＯ）、この新たな追加映像遅延量ｔＶＤｓを遅延処理部２３０で実際に設定することができないので、追加映像遅延量ｔＶＤｓを追加可能最大映像遅延量ｔＶＤｍａｘ（ｔＶＤｓ＝ｔＶＤｍａｘ）として（ステップＳ２７０）、ステップＳ２８０の処理を実行することにより、現設定の映像遅延量ｔＶＤに一致するように、音声遅延量ｔＡＤを設定することができる。
【００４７】
図４は、音声再生装置３００の遅延量決定部３６０において実行される音声遅延量の決定処理の手順を示す説明図である。
【００４８】
遅延量決定部３６０は、例えば、図示しない制御部からの指示に従って図４に示す処理を開始し、終了指示があるまで(ステップＳ３１０：ＮＯ)、ステップＳ３２０〜ステップＳ３４０の処理を繰り返す。
【００４９】
まず、音声処理部３２０から通知された基本音声遅延量ｔＡＤ０を取得するとともに、現段階で遅延処理部３３０に設定されている追加音声遅延量ｔＡＤｓを取得する（ステップＳ３２０）。
【００５０】
なお、音声処理部３２０では、映像再生装置２００の映像処理部２２０と同様に、例えば、入力される音声情報に対して実行する収集の処理条件に応じて発生する基本音声遅延量が格納されたテーブルを参照することにより、対応する基本音声遅延量ｔＡＤ０を動的に求めることができる。
【００５１】
ステップＳ３３０では、映像再生装置２００の遅延量決定部２６０からの指示が、映像再生装置２００の遅延量通信部２７０および遅延量通信部３７０を介して供給されるまで待機する。
【００５２】
そして、ステップＳ３４０では、映像再生装置２００（遅延量決定部２６０）からの指示に応じた処理を実行する。具体的には、図２で示したステップＳ２２０の処理による「現設定遅延量の通知」の指示であった場合には、基本音声遅延量ｔＡＤ０、追加音声遅延量ｔＡＤｓ、および、追加可能最大音声遅延量ｔＡＤｍａｘを、映像再生装置２００（遅延量決定部２６０）に応答する。また、図２で示したステップＳ２８０の処理による「追加遅延量の設定」指示であった場合には、この指示に含まれて通知された追加音声遅延量ｔＡＤｓを取得し、遅延処理部３３０に設定する。これにより、指示された追加音声遅延量ｔＡＤｓが遅延処理部３３０に設定され、設定された音声遅延量ｔＡＤで遅延処理部３３０が動作する。
【００５３】
以上説明したように、映像再生装置２００の遅延量決定部２６０が図２に示した映像遅延量および音声遅延量の決定処理を実行し、音声再生装置３００の遅延量決定部３６０が図３に示した音声遅延量の設定処理を実行する。
【００５４】
なお、映像再生装置２００の遅延処理部２３０および音声再生装置３００の遅延処理部３３０において設定可能な遅延量としては、あらかじめ想定される遅延量を確保できる範囲が用意されているのが好ましいが、少なくとも、以下で説明する遅延量を追加遅延量の最大値として設定可能とすればよいと考えられる。
【００５５】
日本における放送規格での映像に対する音声の遅れは最大１８５ｍｓとされている。また、高画質化のために実行されるＩＰ変換等の処理において、最小でもインターレス信号で１フレーム時間（約３３ｍｓ）の遅延が発生する。そこで、映像再生装置２００の遅延量決定部２６０で設定可能な追加映像遅延量の最大値は、理想的には、１５２ｍｓ（＝［１８５−３３］ｍｓ）の遅延量（フレーム時間ｔＦｒａｍｅで換算すると、５・ｔＦｒａｍｅの遅延量）が必要と考えられる。ただし、実質的には３・ｔＦｒａｍｅの遅延量が設定可能であれば十分であると考えられる。
【００５６】
また、映像に対する音声の進みは、最大９０ｍｓとされている。従って、音声再生装置３００の遅延量決定部３６０で設定可能な追加音声遅延量の最大値は、１２３ｍｓ（＝［９０＋３３］ｍｓ）程度であればよいと考えられる。
【００５７】
Ａ３．映像遅延量および音声遅延量のユーザによる調整処理：
図５は、映像再生装置２００の遅延量決定部２６０において実行される映像遅延量および音声遅延量のユーザによる調整処理の手順を示す説明図である。図６は、ユーザが利用する入力装置としてのリモコン２９０において、映像遅延量および音声遅延量の調整処理のためのボタンを示す説明図である。
【００５８】
映像再生装置２００の遅延量決定部２６０は、ユーザがリモコン２９０の「遅延調整」ボタン２９２を押下することにより、調整遅延量入力部２８０から、映像遅延量および音声遅延量の調整処理の開始指示が発生され、これにより、図５に示す処理を開始する。
【００５９】
まず、ユーザがリモコン２９０のボタンを押下することにより、調整遅延量入力部２８０からユーザの指示が入力されるまで待機する（ステップＳ４１０）。
【００６０】
次に、入力された指示が終了指示であるか否か判断する（ステップＳ４２０）。ここで、終了指示は、「遅延調整」ボタン２９２を再度押下することによりなされる。但し、これに限定されるものではなく、専用の終了ボタンを設けてもよい。
【００６１】
入力された指示が終了指示であった場合には（ステップＳ４２０：ＹＥＳ）、処理を終了する。一方、終了指示でなかった場合には（ステップＳ４２０：ＮＯ）、音声遅延あるいは映像遅延の指示であると判断され、ステップＳ４３０，Ｓ４４０の処理を実行後、ステップＳ４５０〜Ｓ４８０、あるいは、ステップＳ４９０〜Ｓ５２０の処理を実行する。
【００６２】
ステップＳ４３０では、遅延量通信部２７０および音声再生装置３００の遅延量通信部３７０を介して、音声再生装置３００の遅延量決定部３６０に対して、音声再生装置３００における音声遅延量ｔＡＤの情報として、基本音声遅延量ｔＡＤ０、追加音声遅延量ｔＡＤｓ、および、追加可能最大音声遅延量ｔＡＤｍａｘの通知を指示し、遅延量決定部３６０から通知された情報を取得する。なお、ここで取得する情報は、図２の処理によって既知となっているため、ステップＳ４３０の処理を省略することも可能である。
【００６３】
ステップＳ４４０では、入力された指示が、リモコン２９０の「音声遅延」ボタン２９４の押下による音声遅延であるか、「映像遅延」ボタン２９６の押下による映像遅延であるか、判断する。
【００６４】
入力された指示が音声遅延の指示の場合には（ステップＳ４４０：ＹＥＳ）、ステップＳ４５０〜Ｓ４８０の処理を実行した後、一方、映像遅延の指示の場合には（ステップＳ４４０：ＮＯ）、ステップＳ４９０〜Ｓ５１０の処理を実行した後、ステップＳ４１０の処理に戻る。このように、終了指示があるまで、ステップＳ４１０〜ステップＳ５２０の処理を繰り返し実行する。
【００６５】
なお、１回の音声遅延あるいは映像遅延の指示における調整遅延量をｔｄとする。ただし、調整遅延量ｔｄの値としては、１フレーム時間ｔＦｒａｍｅよりも小さな値とすることが好ましく、例えば、ｔＦｒａｍｅ＝３３ｍｓの場合ｔｄ＝５ｍｓのように設定することが好ましい。
【００６６】
まず、音声遅延の指示が有った場合におけるステップＳ４５０〜Ｓ４８０の処理について説明する。
【００６７】
ステップＳ４５０では、追加音声遅延量ｔＡＤｓに調整遅延量ｔｄを加算した値が追加可能最大音声遅延量ｔＡＤｍａｘ以下（［ｔＡＤｓ＋ｔｄ］≦ｔＡＤｍａｘ）であるか否か、すなわち、調整遅延量ｔｄだけ遅延させることができるか否か判断する。
【００６８】
ここで、［ｔＡＤｓ＋ｔｄ］≦ｔＡＤｍａｘの場合には（ステップＳ４５０：ＹＥＳ）、調整遅延量ｔｄだけ遅延させることができるので、ステップＳ４６０の処理を実行してステップＳ４１０に戻る。
【００６９】
ステップＳ４６０では、現在の追加音声遅延量ｔＡＤｓに調整遅延量ｔｄを加算することにより、新たな追加音声遅延量ｔＡＤｓ（ｔＡＤｓ＋＝ｔｄ）を求めて、求めた追加音声遅延量ｔＡＤｓの設定を、遅延量通信部２７０および音声再生装置３００の遅延量通信部３７０を介して、音声再生装置３００の遅延量決定部３６０に対して指示する（ステップＳ４６０）。
【００７０】
一方、［ｔＡＤｓ＋ｔｄ］＞ｔＡＤｍａｘの場合には（ステップＳ４５０：ＮＯ）、さらに、追加映像遅延量ｔＶＤｓが１フレーム時間ｔＦｒａｍｅ以上（ｔＶＤｓ≧ｔＦｒａｍｅ）であるか否か判断する（ステップＳ４７０）。
【００７１】
ここで、ｔＶＤｓ≧ｔＦｒａｍｅの場合には（ステップＳ４７０：ＹＥＳ）、ステップＳ４８０の処理を実行してステップＳ４１０に戻り、ｔＶＤＳ＜ｔＦｒａｍｅの場合には（ステップＳ４７０：ＮＯ）、そのままステップＳ４１０に戻る。
【００７２】
ステップＳ４８０では、現在の追加映像遅延量ｔＶＤｓから１フレーム時間ｔＦｒａｍｅを減算することにより、新たな追加映像遅延量ｔＶＤｓ（ｔＶＤｓ−＝ｔＦｒａｍｅ）を求めるとともに、１フレーム時間ｔＦｒａｍｅから調整遅延量ｔｄを減算した値を、現在の追加音声遅延量ｔＡＤｓから減算することにより、新たな追加音声遅延量ｔＡＤｓ（ｔＡＤｓ−＝［ｔＦＲａｍｅ−ｔｄ］）を求めて、求めた追加音声遅延量ｔＡＤｓの設定を、遅延量通信部２７０および音声再生装置３００の遅延量通信部３７０を介して、音声再生装置３００の遅延量決定部３６０に対して指示する。
【００７３】
以上のように音声遅延の指示に応じて、調整遅延量ｔｄに対応する遅延の調整が実行される。
【００７４】
次に、映像遅延の指示が有った場合におけるステップＳ４９０〜Ｓ５２０の処理について説明する。
【００７５】
ステップＳ４９０では、追加音声遅延量ｔＡＤｓから調整遅延量ｔｄを減算した値が「０」以上（［ｔＡＤｓ−ｔｄ］≧０）であるか否か判断する。
【００７６】
ここで、［ｔＡＤｓ−ｔｄ］≧０の場合には（ステップＳ４９０：ＹＥＳ），ステップＳ５００の処理を実行してステップＳ４１０に戻る。
【００７７】
ステップＳ５００では、現在の追加音声遅延量ｔＡＤｓから調整遅延量ｔｄを減算することにより、新たな追加音声遅延量ｔＡＤｓ（ｔＡＤｓ−＝ｔｄ）を求めて、求めた追加音声遅延量ｔＡＤｓの設定を、遅延量通信部２７０および音声再生装置３００の遅延量通信部３７０を介して、音声再生装置３００の遅延量決定部３６０に対して指示する（ステップＳ５００）。
【００７８】
一方、［ｔＡＤｓ−ｔｄ］＜の場合には（ステップＳ４９０：ＮＯ）、さらに、追加映像遅延量ｔＶＤｓに１フレーム時間ｔＦｒａｍｅを加算した値が追加可能最大映像遅延量ｔＶＤｍａｘよりも小さい（［ｔＶＤｓ＋ｔＦｒａｍｅ］＜ｔＶＤｍａｘ）か否か判断する（ステップＳ５１０）。
【００７９】
ここで、［ｔＶＤｓ＋ｔＦｒａｍｅ］＜ｔＶＤｍａｘの場合には（ステップＳ５１０：ＹＥＳ）、ステップＳ５２０の処理を実行してステップＳ４１０に戻り、［ｔＶＤｓ＋ｔＦｒａｍｅ］≧ｔＶＤｍａｘの場合には（ステップＳ５１０：ＮＯ）、そのままステップＳ４１０に戻る。
【００８０】
ステップＳ５２０では、現在の追加映像遅延量ｔＶＤｓに１フレーム時間ｔＦｒａｍｅを加算することにより、新たな追加映像遅延量ｔＶＤｓ（ｔＶＤｓ＋＝ｔＦｒａｍｅ）を求めるとともに、１フレーム時間ｔＦｒａｍｅから調整遅延量ｔｄを減算した値を、現在の追加音声遅延量ｔＡＤｓに加算することにより、新たな追加音声遅延量ｔＡＤｓ（ｔＡＤｓ＋＝［ｔＦＲａｍｅ−ｔｄ］）を求めて、求めた追加音声遅延量ｔＡＤｓの設定を、遅延量通信部２７０および音声再生装置３００の遅延量通信部３７０を介して、音声再生装置３００の遅延量決定部３６０に対して指示する。
【００８１】
以上のように映像遅延の指示に応じて、調整遅延量ｔｄに対応する遅延の調整が実行される。
【００８２】
なお、映像遅延量および音声遅延量の調整処理における音声再生装置３００の遅延量決定部３６０の処理動作は、図４に示した処理と同様であるので、説明を省略する。
【００８３】
以上説明したように、映像再生装置２００の遅延量決定部２６０が図５に示した映像遅延量および音声遅延量の調整処理を実行することにより、ユーザの指示に応じた遅延量の調整を実行することができる。
【００８４】
Ａ４．効果：
以上説明したように、上記コンテンツ再生システム１０では、映像再生装置２００の遅延量決定部２６０が図２に示した映像遅延量および音声遅延量の決定処理を実行し、音声再生装置３００の遅延量決定部３６０が図３に示した音声遅延量の設定処理を実行することにより、映像再生装置２００および音声再生装置３００は、それぞれの再生装置内部における再生処理遅延のズレによって発生する再生タイミングのズレ（同期ズレ）を低減することができる。これにより、同期ズレが合ったコンテンツの視聴環境を簡便に実現することができる。
【００８５】
また、上記コンテンツ再生システム１０では、ユーザがリモコン２９０から入力する指示に応じて、手動で映像遅延量および音声遅延量の調整を実行することができるので、コンテンツ供給装置１００から映像再生装置２００に供給される映像情報の伝送遅延と、コンテンツ供給装置１００から音声再生装置３００に供給される音声情報の伝送遅延のズレ（伝送遅延ズレ）や、そもそもコンテンツ供給装置において発生する映像情報の伝送タイミングと音声情報の伝送タイミングのズレ（伝送タイミングズレ）を、ユーザが手動で調整することにより、低減することができる。
【００８６】
また、上記コンテンツ再生システム１０では、映像遅延量および音声遅延量を制御して調整することができるので、音声遅延量のみを制御して調整する場合に比べて、幅広い調整範囲を有することができる。
【００８７】
また、上記コンテンツ再生システム１０では、映像再生装置２００の操作で。映像再生装置２００における再生タイミングと音声再生装置３００における再生タイミングの進み／遅れに応じた調整が可能であるので、それぞれの再生装置でそれぞれの遅延量を独立して調整する場合に比べて調整が容易である。
【００８８】
Ｂ．変形例：
なお、本発明は上記実施例や実施形態に限られるものではなく、その要旨を逸脱しない範囲において種々の態様にて実施することが可能である。
【００８９】
Ｂ１．変形例１：
上記実施例では、映像再生装置２００の遅延量決定部２６０において、映像遅延量ｔＶＤと音声遅延量ｔＡＤとが一致するように、追加映像遅延量ｔＶＤｓと追加音声遅延量ｔＡＤｓとを決定しあるいは調整し、決定あるいは調整した追加音声遅延量を音声再生装置３００の遅延量決定部３６０に設定する場合を例に説明したが、これに限定されるものではなく、音声再生装置３００の遅延量決定部３６０において、映像遅延量ｔＶＤと音声遅延量ｔＡＤとが一致するように、追加映像遅延量ｔＶＤｓと追加音声遅延量ｔＡＤｓとを決定しあるいは調整し、決定あるいは調整した追加映像遅延量を映像再生装置２００の遅延量決定部２６０に設定するようにしてもよい。
【００９０】
Ｂ２．変形例２：
上記実施例では、タイミングを合わせて再生すべき第１と第２のコンテンツ情報として、映像情報と音声情報を例に説明したが、これに限定されるものではなく、映像情報と映像情報、音声情報と音声情報であってもよい。すなわち、１つのコンテンツを構成し、タイミングを合わせて再生すべき第１と第２のコンテンツ情報を、それぞれに対応する第１と第２の再生装置において再生する場合において適用可能である。
【００９１】
Ｂ３．変形例３：
上記実施例では、映像情報通信経路ＶＬと、音声情報通信経路ＡＬと、遅延情報通信経路ＣＬと、をそれぞれ独立した経路とした場合を例に説明したが、これに限定されるものではなく、映像情報通信経路と音声情報通信経路とを共通化してもよい。また、映像情報通信経路、音声情報通信経路、および、遅延情報通信経路を全て共通の通信経路としてもよい。通信経路を共通化する場合において、映像情報や音声情報の通信は、例えば、ＲＴＰ（Ｒｅａｌ−ｔｉｍｅ  Ｔｒａｎｓｐｏｒｔ  Ｐｒｏｔｏｃｏｌ）によるマルチキャスト送信によって実行される。
【００９２】
Ｂ４．変形例４：
上記実施例では、映像再生装置２００と音声再生装置３００との間の通信プロトコルとして、ＳＯＡＰを例に説明しているが、これに限定されるものではなく、ＨＴＴＰ，ＸＭＬ等の種々の通信プロトコルにおいて、新たに「現設定遅延量の取得」や「追加遅延量の設定」を指示するためのメッセージコマンドを定義することができる通信プロトコルを用いるようにすればよい。
【図面の簡単な説明】
【００９３】
【図１】本発明の一実施例としてのコンテンツ再生システム１０の構成を機能的に示す説明図である。
【図２】映像再生装置２００の遅延量決定部２６０において実行される映像遅延量および音声遅延量の自動調製処理の手順を示す説明図である。
【図３】映像遅延量および音声遅延量の調整例を示す説明図である。
【図４】音声再生装置３００の遅延量決定部３６０において実行される音声遅延量の決定処理の手順を示す説明図である。
【図５】映像再生装置２００の遅延量決定部２６０において実行される映像遅延量および音声遅延量のユーザによる調整処理の手順を示す説明図である。
【図６】ユーザが利用する入力装置としてのリモコン２９０において映像遅延量および音声遅延量の調整処理のためのボタンを示す説明図である。
【符号の説明】
【００９４】
１０…コンテンツ再生システム
１００…コンテンツ供給装置
２００…映像再生装置
２１０…映像情報受信部
２２０…映像処理部
２３０…遅延処理部
２４０…映像再生部
２５０…投写部
２６０…遅延量決定部
２７０…遅延量通信部
２８０…調整遅延量入力部
２９０…リモートコントローラ（リモコン）
２９２…「遅延調整」ボタン
２９４…「音声遅延」ボタン
２９６…「映像遅延」ボタン
３００…音声再生装置
３１０…音声情報受信部
３２０…音声処理部
３３０…遅延処理部
３４０…音声再生部
３５０…スピーカ
３６０…遅延量決定部
３７０…遅延量通信部
ＶＬ…通信経路（映像情報通信経路）
ＡＬ…通信経路（音声情報通信経路）
ＣＬ…通信経路（遅延情報通信経路）
【図１】
2008141631.tif 000003
【図２】
2008141631.tif 000004
【図３】
2008141631.tif 000005
【図４】
2008141631.tif 000006
【図５】
2008141631.tif 000007
【図６】
2008141631.tif 000008
【手続補正書】
【提出日】平成19年11月1日(2007.11.1)
【手続補正１】
【補正対象書類名】特許請求の範囲
【補正対象項目名】請求項７
【補正方法】変更
【補正の内容】
【請求項７】
タイミングを合わせて再生すべき第１と第２のコンテンツ情報を、それぞれに対応する第１と第２の再生装置において再生するコンテンツ再生方法であって、
前記第１の再生装置に供給される前記第１のコンテンツ情報の再生を開始するまでに要する時間を示す第１の再生遅延量は、前記第１のコンテンツ情報の再生条件に応じて決まる第１の基本遅延量と、前記第１の再生装置に備えられる第１の遅延処理部に設定される第１の追加遅延量とで決定され、
前記第２の再生装置に供給される前記第２のコンテンツ情報の再生を開始するまでに要する時間を示す第２の再生遅延量は、前記第２のコンテンツ情報の再生条件に応じて決まる第２の基本遅延量と、前記第２の再生装置に備えられる第２の遅延処理部に設定される第２の追加遅延量とで決定され、
前記第１の再生遅延量および前記第２の再生遅延量を調整する場合において、
前記第１の再生装置は、前記第１の基本遅延量および前記第１の追加遅延量を取得するとともに、前記第２の再生装置に対して、前記第２の基本遅延量および前記第２の追加遅延量の通知を指示し、
通知指示を受けた前記第２の再生装置は、前記第２の基本遅延量および前記第２の遅延処理部に設定されている前記第２の追加遅延量を、前記第１の再生装置に応答し、
応答を受けた前記第１の再生装置は、
前記応答に含まれていた前記第２の基本遅延量および前記第２の追加遅延量を取得し、取得した前記第２の基本遅延量および前記第２の追加遅延量で決まる前記第２の再生遅延量と、前記第１の基本遅延量および前記第１の追加遅延量で決まる前記第１の再生遅延量と、が一致するように、新たな前記第１の追加遅延量および新たな前記第２の追加遅延量を決定し、
前記新たな第１の追加遅延量を前記第１の遅延処理部に設定するとともに、前記第２の再生装置に対して、前記新たな第２の追加遅延量の前記第２の遅延処理部への設定を指示し、
設定指示を受けた前記第２の再生装置は、前記設定指示に含まれていた前記新たな第２の追加遅延量を前記第２の遅延処理部に設定する
ことを特徴とするコンテンツ再生方法。